(57)【要約】【課題】  ユーザが指定した地点を含む地図を使いやすい形に編集して携帯電話に転送することがができるようにする。【解決手段】  ユーザにより指定された地点を含む地図データを検索する手段と、検索された地図データ上でのアイコンや名称などを消去したり、指定した交差点やアイコン間などの距離を算出・表示したりする地図データ編集手段と、前記接続部を介して前記地図編集手段にて編集された地図データを携帯電話へ転送する手段を設ける。【選択図】  図４
2006003664.tif 000002
【特許請求の範囲】
【請求項１】
地図データが格納された記憶装置と、
スクロールや地点指定などユーザによる指示を受け付ける入力部と、
前記入力部にて指定された指示にしたがって所望の地図データを検索する地図データ検索手段と、
前記地図データ検索手段にて検索された地図データを表示画面上に表示する表示制御手段と、
携帯可能な外部機器と接続される接続部と、
前記接続部に前記外部機器が接続されたことを検出する接続検出手段と、
前記外部機器との間でデータ通信を行なう通信制御手段と、
前記画面上に表示された地図上でアイコンを指定して編集する地図データ編集手段とを備え、
前記接続部に前記外部機器が接続されたことを前記接続検出部が検出すると前記通信制御手段は前記外部機器の固有情報を取得すると共に前記地図データ編集手段にて編集された地図データを前記外部機器へ転送することを特徴とする地図表示装置。
【請求項２】
請求項１記載の地図表示装置において、前記地図データ編集手段は前記入力部から入力されたユーザによって指定された始点及び終点の間の距離を計算して前記画面に表示された地図上に表示することを特徴とする地図表示装置。
【請求項３】
自車位置を検出する自車位置検出手段と、
複数の縮尺率の地図データが格納された記憶装置と、
自車位置から目的地までの誘導ルートを前記地図データを用いて演算する誘導ルート演算手段と、
スクロールや地点指定などユーザによる指示を受け付ける入力部と、
前記入力部にて指定された指示にしたがって所望の地図データを検索する地図データ検索手段と、
前記検索手段にて検索された地図データ、誘導ルート演算手段によって演算された誘導ルート及び自車位置検出手段で検出した自車位置を表示画面上に表示する表示制御手段と、
携帯電話との接続部と、
前記接続部に携帯電話が接続されたことを検出する接続検出手段と、
携帯電話との間でデータ通信を行なう通信制御手段と、
前記表示制御手段にて画面上に表示された地図上でアイコンを指定して編集する地図データ編集手段とを備え、
前記接続部に前記携帯電話が接続されたことを前記接続検出部が検出すると前記通信制御手段は前記携帯電話の固有情報を取得すると共に、前記地図データ編集手段にて編集された地図データと現在の自車位置と目的地までの誘導ルートを前記携帯電話へ転送することを特徴とするナビゲーション装置。
【発明の詳細な説明】
【技術分野】
【０００１】
本発明は記憶手段に記憶された複数の地図データの中から指定された地点を含む地域の地図データを検索して他の外部機器、好ましくは携帯外部機器に転送して表示することができる地図表示装置に関する。
【背景技術】
【０００２】
近年の地図表示装置、例えば車載用ナビゲーション装置では全国の地図データをＤＶＤ(Digital Versatile Disk)やハードディスク装置に保有しており、電話番号や住所を入力すると入力された電話番号で指定される目的物や住所に該当する地点、及びこの地点を含む地図データを検索して表示することができるようになっている。
また、目的地として或る地点を指定すると現在地を含む地図を車両の移動にあわせてスクロールしながら表示すると共に、目的地までの経路を案内する機能を持っている。
【０００３】
ところが、百貨店の駐車場とかのように目的地が駐車場所から離れているといった関係で目的地まで車両で行くことができない場合には、画面上に表示された地図を見て降車位置から眺めた目的地の方向や道順等を覚えて歩いていかなければならなかった。
【０００４】
したがって、道順を覚えるのに多くの時間を費やしたり、場合によっては紙に地図を書き写したりするといった煩雑な作業を行わねばならなかった。
【０００５】
こうした問題を解決するために特開２００３−２１４８６９号公報（特許文献１）では、降車した場所と目的地の位置情報、及びインターネットアクセスが可能な携帯電話のメールアドレスを携帯電話からメールサーバに送り、このサーバから降車位置及び目的地を含む地図データが参照できるサイトのＵＲＬ（Uniform Resource Locator）情報をユーザの携帯電話にメールとして送信するシステムが提案されている。
【０００６】
ところが、このシステムの場合では地図データを取得する為にはインターネットにアクセスしてＵＲＬを開く作業を行なわねばならず、その際には通信料や、場合によっては地図データの使用料等のいわゆる情報料がかかってしまうことがある。
【０００７】
また、この他インターネット上のサイトからダウンロードする地図やナビゲーション装置で使用されている地図では一般に縮尺率に応じた距離スケールが地図と共に表示されているだけで、目的地に向かう途中に目標としたい店舗やランドマークがあってもそこまでの距離については距離スケールから目測で読み取らなければならないという付随する課題もあった。
【特許文献１】特開２００３−２１４８６９号
【発明の開示】
【発明が解決しようとする課題】
【０００８】
本発明の目的は、こうした問題点を鑑み、携帯電話等の通信機器によるサーバからの地図やその他の情報等のダウンロードが不要であり、尚且つ任意の領域の地図データをユーザが使いやすい形に編集して携帯電話等の情報機器へ転送することができる地図表示装置を提供することにある。
【課題を解決するための手段】
【０００９】
本発明の特徴は、ユーザにより指定された地点を含む地図データを検索する手段と、検索された地図データ上でのアイコンや名称などを消去したり、指定した交差点やアイコンなどの２地点間の距離を算出・表示したりする地図データ編集手段と、前記接続部を介して前記地図編集手段にて編集された地図データを携帯電話へ転送する手段を設けた地図表示装置にある。
【発明の効果】
【００１０】
本発明によれば、通信料等をかけることなく所望の地図データを携帯電話に送信することができる。
また、地図表示装置上で地図データを編集して利用しやすい形に簡略化できるので、転送された地図を携帯電話等の外部機器の画面上で表示しても見易くなり、目的地の場所へ確実に移動することができるようになる。
【発明を実施するための最良の形態】
【００１１】
以下本発明の最良の実施形態を図面にしたがい詳細に説明する。
【実施例１】
【００１２】
図１に本発明の地図表示装置の１つであるナビゲーション装置１と携帯電話２との接続例を示している。
図にある通り、携帯電話２は本体にＵＳＢ（Universal Serial Bus）端子４ａを持っており、同様にナビゲーション装置１にもＵＳＢ端子４ｂを備えており、両者はＵＳＢケーブル３にて接続される。
【００１３】
尚、ＵＳＢケーブル3を使用しなくてもナビゲーション装置1に設けた携帯電話挿入用のスロットに携帯電話を挿入してＵＳＢケーブル３と同等の働きをさせても良いし、更にブルートウース(Ｂｌｕｅ−Ｔｏｏｔｈ)や赤外線等を使った無線方式で接続するようにしても良い。
【００１４】
図２に本発明の地図表示装置の１つであるナビゲーション装置１の内部構成例を示している。
ナビゲーション装置１は、演算処理部１０、外部記憶装置２０、センサ部３０、表示部４０、ＧＰＳ受信部５０、入出力部６０等から構成されている。
演算処理部１０は、ＣＰＵ(Central Processing Unit)１１、Flash ＲＯＭ(Read Only  Memory)１２、ＲＡＭ（Random Access Memory）１３から構成されている。
もちろん演算処理部１０を構成する要素はこれら以外にもあるが、本発明の説明に関連のない構成要素の図示は省略してある。
【００１５】
ＣＰＵ１１は後述するアプリケーションプログラムを実行するほか、種々の演算をするために用いられる。
例えばセンサ部３０やＧＰＳ（Global Positioning System）信号受信部５０からの情報に基づいて車両の現在位置を算出し、算出した現在位置情報から表示に必要な地図情報を外部記憶装置２０から読み出して現在位置とともに表示部４０に表示する。
【００１６】
また、ＣＰＵ１１はユーザにより任意に指定された２地点間の距離を後述のデータベースに格納された指定地点の座標値データから算出する処理も行なうことができる。
記憶装置１２はナビゲーション装置1の各種機能のアプリケーションプログラムやその演算に必要なデータ或いは接続された携帯電話２の固有情報などを記憶しておくもので、ここではFlash ＲＯＭ１２を用いているがこれと同等の機能を有するＥＰＲＯＭ等であってもよい。
【００１７】
ＲＡＭ１３は処理中の作業エリアとして使用したり、地図データなどを一時記憶したりするために用いられる。
【００１８】
外部記憶装置２０は地図データ、道路種別、道路データを構成するノードやリンク構成情報等の経路計算用道路データ、座標値、電話番号、住所等の施設情報などのナビゲーション処理に必要な情報をデータベースとして記憶している。
そして、外部記憶装置２０は前述した情報を記憶しているDVD(Digital Versatile Disk)２３が挿入されるＤＶＤドライブ２１及びHDD(Hard Disk Drive)２２の一方或いは両方の組み合わせで構成されている。
【００１９】
センサ部３０は方位センサ３１、ジャイロ３２、車輪速センサ３３を備え、車輪速センサ３３は車輪の回転に伴って出力されるパルス信号をカウンタ３５により計数することにより移動体の走行距離を検出する。この走行距離信号は内部バス７０を介して演算処理部１０に送られる。
【００２０】
方位センサ３１は地球が有している磁場を検出して移動体の向きを検出し、また、ジャイロ３２は光ファイバジャイロや振動ジャイロ等が用いられ、移動体が回転した角度を検出する。
これらの方位センサ３１及びジャイロ３２の検出信号はアナログーディジタル変換器（Ａ／Ｄ）３４によりディジタル信号に変換されて内部バス７０を介して演算処理部１０に送られる。
【００２１】
ＧＰＳ信号受信部５０はGPSアンテナ５４を介してＧＰＳ衛星からの信号を受信し、移動体と衛星との間の距離および距離の変化率を測定することにより、移動体の現在位置、進行方向および進行方位を測定するもので、これらの測定データはＳＣＩ５２から内部バス７０を介して演算部１０に送られる。
【００２２】
表示部４０は表示ドライバ４１、コントローラ４３、バッファ４４等よりなる表示制御手段及び液晶パネルやＣＲＴ等の表示装置４２から構成され、内部バス７０を介して演算処理部１０から送られてくるデータをバッファ４４に格納し、これに基づいて表示装置４２に地図、誘導ルート、自車位置などを表示させるものである。
【００２３】
入出力部６０はユーザによる指示を受け付けるハードスイッチやジョグスイッチなどで構成されるKey PAD６２、ユーザの操作するリモコン６５からの光信号を受信するリモコン受光部６１、演算処理部１０が生成したユーザへのメッセージをスピーカ（ＳＰ）６６で音声信号に変換すると共にマイク６８を介して入力される音声信号を取り込んで信号変換するCODEC６３等により構成されている。
これらはＰＩＯ６４及び内部バス７０を介して演算処理部１０とデータのやり取りを実行する。
【００２４】
ＵＳＢコントローラ８０は本実施例の携帯電話２のようなＵＳＢ端子４ａを持つ外部機器へ送信するデータを通信に適した信号に変換したり、受信した信号を内部で処理するのに適した信号に変換したりするものである。
更に地図表示装置の端子４ｂの端子電圧の変化をＵＳＢコントローラで監視することにより外部機器の接続有無の検出を行なっており、外部機器が接続された場合には割込み信号としてＣＰＵ１１に通知するようになっている。
尚、携帯電話以外の外部機器としては手のひらサイズの例えばパームコンピュータ等の情報機器が考えられる。この場合も前述した携帯電話２と同様の接続手段を備えている。
【００２５】
次に本実施例の動作について説明するが、携帯電話２を接続された際の処理について図３を用いて説明する。
ユーザにより地図表示装置１にＵＳＢケーブル３を使って携帯電話２が接続されると、ＵＳＢコントローラ８０がこの接続状態を検出してＣＰＵ１１に割込み信号として通知する。この割り込み信号が入力されるとＣＰＵ１１はステップ１００でＵＳＢ割込み処理を開始し、ステップ１０２で接続された外部機器の種類を特定する。
これは接続された機器に予め割り与えられている識別コードを要求し、そのコードにより種別を判定するものである。
【００２６】
そして、ステップ１０４でこの識別コードが携帯電話のものでなかった場合（Ｓ１０４で“Ｎ”の場合）には本処理を抜けて識別コードに応じた別の処理へ移行する。
一方、ステップ１０４で取得した識別コードが携帯電話２であった場合（Ｓ１０４で“Ｙ”の場合）には、接続された携帯電話２に対して接続要求を出し、ステップ１０６で接続された携帯電話２の電話番号等の固有情報を取得する為の初期接続処理を行ない、所望の情報が取得できたら通常の処理に戻るようなる。
【００２７】
次に、携帯電話２に転送する地図の範囲を設定する地図設定処理について図４のフローチャート及び図６の表示画面を用いて説明する。
ステップ２００において地図設定処理は予めメインメニューに登録されている所定のメニュー（図示せず）をリモコン等の操作により選択することで行なわれる。
地図設定処理Ｓ２００に入るとステップ２０２で地図を特定する為の地点指定メニューが表示される。本実施例では地点指定メニューとして（１）地図上での地点指定と（２）ジャンル検索による地点選択の２つが用意されている。
尚、（２）ジャンル検索による地点選択とは、駅や映画館等のジャンルについて表示される複数の候補から所望のものを選択することで地点を指定するものである。
【００２８】
そして、ステップ２０４において地点指定メニュー項目の１つが選択されると（Ｓ２０４で“Ｙ”の場合）、ステップ２０６でこの選択が直接的に地図上で地点を指定する“直接地点指定“のボタンが選択されたかどうか判断し、この“直接地点指定“のボタンが選択された場合（Ｓ２０６で“Ｙ”の場合）にはステップ２０８の地図上での直接地点指定処理に移行する。
ステップ２０６で“直接地点指定“のボタンが選択されていない場合（Ｓ２０６で“Ｎ”の場合）にはジャンル検索による地点検索が選択されたと判断し、ステップ２１０のジャンル検索による地点検索処理へ移行する。
【００２９】
ここで図５（ａ）〜（ｃ）を用いて、ステップ２０８の地点指定処理について説明する。
まず、図５（ａ）に示されるように画面上の横方向と縦方向の破線の交差する点で決まるカーソル１００を所望の地点に移動させて画面右下の“始点”ボタン１２０を選択することで地図範囲を決める一方の地点が設定される。
【００３０】
また、画面上には始点として現在地を指定する“現在地”ボタン１２０も用意されており、その“現在地”ボタンが選択された場合には自動的に現在地が始点として指定される。
尚、参照番号１０２、１０４、１０６は道路脇に存在する店舗やビル等のランドマークを表すアイコン等の画像構成要素である。
【００３１】
始点が設定されると、設定された地点には三角形状の地点指定のアイコン２００が表示され、もう一方の地点である目的地或いは終点を設定する指定画面に移る。
図５（b）はこの目的地或いは終点を設定する画面を示しており、ここで始点と同様にカーソル１００を移動させて終点を指定するものである。
尚、図５（ｂ）の例では終点として目的地を指定した例で目的地ボタン１２４を選択することで自動的に目的地２１０にカーソルが移動して終点として設定される。
【００３２】
これにより２地点が設定され、例えば、図５（ｃ）に示す枠線１０８で示される地図範囲を決めることになる。
つまり、始点２００及び終点２１０をそれぞれ含む矩形領域が地図範囲となる。尚、この矩形領域の設定の仕方は任意である。
【００３３】
また、本実施例では転送する地図の範囲を２つの地点を指定することにより設定する例を示したが、接続される携帯電話２の画面の画素数を考慮して、例えば、地図表示装置の画面上に接続される携帯電話２の画面の画素数に応じた表示範囲を示す枠線を表示させ、転送したい地図の範囲がその枠に入るように地図をスクロールできるようにしても良いものである。更にこれに換えて縮尺率も変えても良いものである。
【００３４】
尚、携帯電話画面の画素数情報については予め携帯電話の機種と画素数情報の対応表を用意しておき、初期接続処理において取得した携帯電話２の固有情報の中から機種を判定してこの対応表を参照して枠線の大きさを設定するようにしても良いものである。
また、設定した範囲に現在地点が含まれるような場合にはそこにアイコンを表示させるようにしても良いものである。
【００３５】
以上の説明はステップ２０６で行なわれる地点指定処理であったが、ステップ２１０のジャンル検索による地点検索処理についても同様の処理が実行可能である。
例えば、ジャンル検索によって駅や映画館等のジャンルについて表示される複数の候補から所望の候補地が選択されると、地点検索処理と同様に始点が設定された後に選択された候補地を指定して終点として登録することで図５（ｃ）に示す枠線１０８のような表示を行うことができる。
【００３６】
以上の処理がそれぞれ終了すると、ステップ２１２で図６（ａ）の枠線１０８にあるような指定された地点を含む地図範囲が設定され、その地図範囲を含む最小の縮尺率の地図データが外部記憶装置２０の中から検索されて画面上に表示される。
ここで、図６（ｂ）は縮尺率の変更なしの場合で、図６（ｃ）は地点指定した地図より縮尺率の小さな地図に変更された場合の例を示している。
【００３７】
また、図６（ｂ）或いは図６（ｃ）にあるように、表示画面には地図をそのまま転送する“転送”ボタン２２２や、編集してから転送する“編集”ボタン２２４が表示されている。
そして、“転送”ボタン２２２が選択された場合（Ｓ２１４で“Ｎ”の場合）には後述の図１１及び図１２に示すデータ転送処理に移行し、一方、“編集”ボタン２２４が選択された場合（Ｓ２１４で“Ｙ”の場合）には図７に示すステップ２１６の地図編集処理へ移行する。
【００３８】
次に地図編集処理について図７に示すフローチャート及び図８に示す表示画面を用いて説明する。
ステップ３００で実行される地図編集処理は前述の通り、地図範囲が設定された際に表示される“編集”ボタン２２４を選択することで行なわれる。
地図編集処理が開始されると、ステップ３０２で図８（ａ）に示すように画面上に編集内容を示すボタンアイコンを選択する“アイコン”ボタン２２６、目的地までの距離を計算させる“距離”ボタン２２８及び終了を指示する“終了”ボタンが表示される。
【００３９】
図８（ｂ）は地点指定で始点として現在地が指定され、終点として目的地が指定された場合の編集メニューボタン表示画面を示したもので、現在地から目的地までの経路２２０が表示されており、これ以外は図６（ａ）と同じ画面である。
そして、ステップ３０４に示すように画面上のボタンのいずれかが押されると（Ｓ３０４で“Ｙ”の場合）、ステップ３０６でこれが“終了”ボタン２３０かどうかまず判定し、選択されたボタンが“終了”ボタン２３０であった場合にはそこで地図編集処理を終了させ地図転送処理に移行する。
【００４０】
次に、“終了”ボタン２３０が選択されていなかった場合には、ステップ３０８でそれが“アイコン”ボタン２２６かどうか判定し、“アイコン”ボタン２２６であった場合にはステップ３１０に示すアイコンや地点名称などの文字列を選択、編集するアイコン編集処理へ移行する。
一方、選択されたのが“アイコン”ボタン２２６ではなかった場合には“距離”ボタン２２８が選択されたと判断し、ステップ３１２の示す距離計算・表示処理に移行する。
【００４１】
図９はステップ３１２で示す距離計算・表示処理における画面遷移を示したものであり、まず、図９（ａ）は交差点３００にカーソル１００を移動させた場合の画面で、ここで“始点”ボタン３０４を選択して距離計算の始点を設定すると、図９（ｂ）に示すように今まで表示されていた“始点”ボタン３０４の代わりに“終点”ボタン３０８が表示される。
【００４２】
ここで、もう一方の地点として経路上の目標となる施設のアイコン３０２にカーソル１００を移動させて“終点”ボタン３０６を選択すると交差点３００と施設３０２間の距離を計算し、図９（ｃ）に示すように距離３１０を表示する。
この後“終了”ボタン３０６を押せば、距離計算・表示処理を抜けて、図６（ｂ）あるいは図６（ｃ）に示す表示画面に戻るものである。
【００４３】
図１０はステップ３１０で実行されるアイコン編集処理における画面遷移を示したものであり、図１０（ａ）の状態から図１０（ｂ）に示すようにカーソル１００を抹消したいアイコンに移動させて“消去”ボタン２４０を選択する。
次に、図１０（ｃ）に示されるように消去するべく選択されたアイコンは消去され、更に不要なアイコン等がすべて消去されるまでこの処理を行なった最後に“終了”ボタン２４２を選択する。
この後、アイコン編集処理を抜けて、図６（ｂ）あるいは（ｃ）に示す表示画面に戻る。ここで、アイコンを編集対象にしているが、名称などの文字列を編集対象にしても良いものである。
【００４４】
以上説明した実施例では画面上に重なったアイコンや文字を消すことにより携帯電話画面上での視認性を確保する為に編集機能として “消去”だけにして１つずつ抹消するようにしている。
しかしながら、これに限らず例えば、アイコンの種別を指定して一括して抹消するようにしたり、予め携帯電話画面用にいくつかの小さいアイコンを用意しておき、それらの中からユーザがアイコンを選んで適当な位置に追加表示できるようにしたりしても良いものである。
【００４５】
次に、前述のステップ３００で示す地図編集処理を抜けて、図６（ｂ）あるいは（ｃ）の示す画面が表示された上で、“転送”ボタン２２２を押すことで図１１にあるステップ４００で示す地図転送処理に移行する。
まず、ステップ４０２で地図データの圧縮処理を行なうが、ここではＪＰＥＧフォーマットを使って圧縮している。
【００４６】
次にステップ４０４で圧縮した地図データをさらにＢＡＳＥ６４形式でエンコードし、ステップ４０６でエンコードされたデータをｖＮＯＴＥフォーマットにおけるＢＯＤＹ部（データ本体）、ファイル名、ファイルタイプ等の情報をヘッダ情報として携帯電話に送信するデータを作成する。
次に、作成されたデータをステップ４０８で図１２に示す通信フロー（ＯＢＥＸ(OBject EXchange)転送仕様に準拠）に従って携帯電話２へ転送するものである。
【００４７】
最後に図１２に本発明の地図表示装置と携帯電話との通信フローを示しており、これの説明を以下行う。
まず、ステップ４１０で地図表示装置１は携帯電話２にデータ交換モードの設定要求を送る。
これに対して、ステップ４１２で携帯電話２から地図表示装置１にモード設定ＯＫの応答が返ってきたら、ステップ４１４で地図表示装置１は携帯電話２に接続・認証要求を送出するが、場合によっては認証要求の為、接続された携帯電話に認証用のパスワードも送出する。その場合にはパスワードは予め地図表示装置に登録しておくと良い。
【００４８】
次に、これに対してステップ４１６で携帯電話２から地図表示装置１に接続ＯＫの応答が返ってきたら、ステップ４１８で地図表示装置１から携帯電話２に前述の処理で作成されたデータの転送を開始する。この処理はデータ送出要求を送った後、最初のデータ１を送り、受領の応答が返ってきたら次のデータを送るといった処理をデータＮまで繰り返し行なって選択された地図データを携帯電話２に転送する。
【００４９】
次に、地図表示装置１から携帯電話２にすべてのデータを送出した後、ステップ４２０で地図表示装置１から携帯電話２に切り離し要求を送出する。
この後、ステップ４２２で携帯電話２から地図表示装置１に切り離しＯＫの応答が返ってきたら、ステップ４２４で地図表示装置１から携帯電話２にデータ交換モード解除要求を出力する。
最後に、ステップ４２６で携帯電話２から地図表示装置１に解除ＯＫの応答が返ってきたらデータ転送処理を抜けて通常処理へ戻るものである。
【００５０】
ところで、本実施例では地図データの範囲を決めるためにユーザが直接的に地点を指定する場合の実施例を示したが、地図表示装置に地点検索データベースを設けて携帯電話の電話帳データに登録されている電話番号や住所から該当する地点を検索し、検索された地点を基に決定した領域の地図データを前述の処理を施した後、携帯電話に転送することも可能である。
このような処理を行なうことにより地図データを電話帳データ等に登録して利用することができるようになる。
【００５１】
また、本実施例の地図表示装置は接続された携帯電話の固有情報として電話番号を読み出すので、予めユーザが地図表示装置に自分の携帯電話番号等を登録しておき、未登録の電話番号の携帯電話が接続されても地図データが転送されないようにして地図データ等の情報保護を図ることもできる。
【００５２】
更に、本実施例では携帯電話とのインタフェースがＵＳＢだったが、前述したように携帯電話の接続が検出できる構造を持ったインタフェースであれば、その他いかなるインタフェースを用いた場合でも本発明が適用できることは言うまでもない。
【図面の簡単な説明】
【００５３】
【図１】本発明の地図表示装置の一実施例における携帯電話の接続例を示す図である。
【図２】本発明の地図表示装置の一実施例であるナビゲーション装置の内部構成を示す図である。
【図３】本発明の地図表示装置の一実施例における携帯電話接続時の処理を示すフローチャート図である。
【図４】本発明の地図表示装置の一実施例において携帯電話へ転送する地図データを検索する処理を示すフローチャート図である。
【図５】（ａ）〜（ｃ）本発明の地図表示装置の一実施例における地図データ検索の為の地図上での地点指定処理の画面を示した図である。
【図６】（ａ）〜（ｃ）本発明の地図表示装置の一実施例における検索された地図表示画面例である。
【図７】本発明の地図表示装置の一実施例における地図データ編集処理を示すフローチャート図である。
【図８】（ａ）（ｂ）本発明の地図表示装置の一実施例における地図データ編集処理の編集メニュー表示画面である。
【図９】（ａ）〜（ｃ）本発明の地図表示装置の一実施例における地図データ編集処理（距離計算・表示処理）時の画面遷移例である。
【図１０】（ａ）〜（ｃ）本発明の地図表示装置の一実施例における地図データ編集処理（アイコン編集処理）時の画面遷移例である。
【図１１】本発明の地図表示装置の一実施例における携帯電話へのデータ転送処理を示すフローチャート図である。
【図１２】本発明の地図表示装置の一実施例における携帯電話間の通信フローを示す図である。
【符号の説明】
【００５４】
１‥ナビゲーション装置、２‥携帯電話、３‥ＵＳＢケーブル、４ａ、４ｂ‥ＵＳＢ端子、１０‥演算処理部、１１‥ＣＰＵ、１２‥Ｆｌａｓｈ ＲＯＭ、１３‥ＲＡＭ、２０‥外部記憶装置、３０‥センサ部、３１‥方位センサ、３２‥ジャイロ、３３‥車輪速センサ、３４‥Ａ−Ｄ変換器、３５‥カウンタ、４０‥表示部、５０‥ＧＰＳ信号受信部、６０‥入出力部、７０‥バス、８０‥ＵＳＢコントローラ
【図１】
2006003664.tif 000003
【図２】
2006003664.tif 000004
【図３】
2006003664.tif 000005
【図４】
2006003664.tif 000006
【図５】
2006003664.tif 000007
【図６】
2006003664.tif 000008
【図７】
2006003664.tif 000009
【図８】
2006003664.tif 000010
【図９】
2006003664.tif 000011
【図１０】
2006003664.tif 000012
【図１１】
2006003664.tif 000013
【図１２】
2006003664.tif 000014